(57)【要約】【課題】  容易に施工及び取り外しすることができ、外壁目地４の適切な位置に配置することができ、より水密性にも優れる外壁目地ガスケット１及び外壁目地のシール構造２を提供する。【解決手段】  外壁目地ガスケット１は、外壁パネル３間に形成される目地４に圧入されて、目地４の水密性を確保する外壁目地ガスケット１であって、目地幅よりも細く形成されたガスケット本体５と、ガスケット本体５の両側から広がって形成されて水密よく外壁パネル３の側面に密着する少なくとも一対のシール部６と、ガスケット本体５の屋内側の端部に設けられる支持部７に揺動可能に固定される固定部８とを備え、固定部８は、目地４を構成する外壁パネル３方向に延びる延出部９が外壁パネル３の側面に当接してガスケット本体５の側面方向に倒れ、目地４の奥行き方向に延びる奥行端部１０が外壁パネルの側面方向に回転する。【選択図】図２
2010095897.tif 000002
【特許請求の範囲】
【請求項１】
互いに隣接する外壁パネル間に形成される目地に圧入されて、当該目地の水密性を確保する外壁目地ガスケットであって、
前記目地幅よりも細く形成されたガスケット本体と、
該ガスケット本体の両側から広がって形成され、前記目地に圧入したときに弾性変形して水密よく前記外壁パネルの側面に密着する少なくとも一対のシール部と、
前記ガスケット本体の屋内側の端部から斜め前方に突出して設けられる柔軟材料からなる支持部と、
該支持部の先端から突出して外壁パネルの側面に互いに異なる方向に折れ曲がって密着する延出部及び奥行端部からなる固定部と、を備え、
該固定部は、前記目地に圧入した時に前記延出部が当該外壁パネルに当接して前記ガスケット本体の側面方向に倒れ、前記奥行端部が前記外壁パネルの側面方向に回転することを特徴とする外壁目地ガスケット。
【請求項２】
前記支持部は前記ガスケット本体の屋内側の端部の両側縁にそれぞれ設けられるとともに、前記固定部は、前記支持部にそれぞれ揺動可能に固定されることを特徴とする請求項１に記載の外壁目地ガスケット。
【請求項３】
前記支持部は前記ガスケット本体の屋内側の端部の一方の側縁に設けられ、前記固定部は当該支持部に揺動自在に固定されるとともに、前記ガスケット本体の屋内側の端部の他方の側縁には、目地に圧入したときに弾性変形して水密よく外壁パネルの側面に密着するシール部をさらに備えることを特徴とする請求項１に記載の外壁目地ガスケット。
【請求項４】
前記請求項１から請求項３のいずれかの外壁目地ガスケットを用いた外壁目地のシール構造であって、前記外壁パネルの側面には前記奥行端部の先端が当接して、前記外壁目地ガスケットが外壁目地の屋内側に圧入することを規制する突条が形成されたことを特徴とする外壁目地のシール構造。
【請求項５】
前記請求項１から請求項３のいずれかの外壁目地ガスケットを用いた外壁目地のシール構造であって、前記外壁パネルの側面には前記奥行端部の先端が当接して、前記外壁目地ガスケットが外壁目地の屋内側に圧入することを規制する板部材が固定されたことを特徴とする外壁目地のシール構造。
【請求項６】
前記請求項１から請求項３のいずれかの外壁目地ガスケットを用いた外壁目地のシール構造であって、前記外壁パネルの側面には前記奥行端部の先端が当接して、前記外壁目地ガスケットが外壁目地の屋内側に圧入することを規制する溝部が形成されたことを特徴とする外壁目地のシール構造。
【発明の詳細な説明】
【技術分野】
【０００１】
この発明は、互いに隣接する外壁パネル間に形成される目地に圧入されて、当該目地の水密性を確保する外壁目地ガスケット及び当該外壁目地ガスケットを用いた外壁目地のシール構造に関し、特に、適切な深さで目地に固定することができる外壁目地ガスケット及び外壁目地のシール構造に関する。
【背景技術】
【０００２】
従来より、複数の互いに隣接する外壁パネル間に形成される目地から建物内部に風雨などが侵入することを防ぎ、且つ、建物の外観を良好に保つために、外壁目地ガスケットが用いられる。外壁目地ガスケットは、例えばポリ塩化ビニル等の水密性及び弾性を有する材料で形成され、目地の幅よりもやや幅広の長手形状であって、屋外側から目地に圧入して固定するものである。このような外壁目地ガスケットにおいては、目地に圧入しすぎて屋内側に脱落することを防ぐために、外壁目地の屋内側に配設されたフレーム等の目地下地材にガスケットの屋内側端部を当接させるものがある。
【０００３】
しかし、必ずしも外壁目地の屋内側に目地下地材が配設されているわけではないので、このような場合には外壁目地ガスケットが外壁目地の屋内側に脱落する虞があった。そこで、図１０に示すように、隣接する外壁パネル３の間に形成される目地４に、その目地４を密封する目地ガスケット１００を圧入した際に、前記目地ガスケットの室内側への脱落を防止する目地ガスケットジョイナー１０１であって、一方の端部にレバー部１０２を屈設した一対の脚部１０３を並列に配置することで相互のレバー部１０２を離反方向に突出させ、相互の脚部１０３とレバー部１０２の結合部を連結部１０４により連結したことを特徴とする目地ガスケットジョイナー１０１が提案されている（例えば特許文献１）。
【０００４】
この目地ガスケットジョイナー１０１によると、図１０に示すように外壁目地４の屋内側に目地下地材が無い場合にも、この目地ガスケットジョイナー１０１を外壁パネル３の側面に設けられた溝１０５などの段差部分に脚部１０３の先端を当接させて固定し、その後に外壁目地ガスケット１００を屋外側から目地４に圧入することで、外壁目地ガスケット１００が目地４の屋内側に脱落することを防止できる。
【特許文献１】特開平１１−２１７８８３号公報
【発明の開示】
【発明が解決しようとする課題】
【０００５】
しかし、上述のような目地ガスケットジョイナー１０１を用いる場合には、図１０に示すように、まず外壁目地４に目地ガスケットジョイナー１０２を圧入し、さらに外壁目地ガスケット１０１を圧入する必要があるので、施工工程が多くなる。また、メンテナンス等のために取り外す場合にも工程が多くなるとともに、目地ガスケットジョイナー１０２は目地の奥にあるので取り外しが困難である。
【０００６】
そこで、本発明は、容易に施工及び取り外しすることができ、外壁目地の適切な位置に配置することができ、より水密性にも優れる外壁目地ガスケット及び外壁目地のシール構造を提供することを目的とする。
【課題を解決するための手段】
【０００７】
請求項１に記載の外壁目地ガスケットは、互いに隣接する外壁パネル間に形成される目地に圧入されて、当該目地の水密性を確保する外壁目地ガスケットであって、前記目地幅よりも細く形成されたガスケット本体と、該ガスケット本体の両側から広がって形成され、前記目地に圧入したときに弾性変形して水密よく前記外壁パネルの側面に密着する少なくとも一対のシール部と、前記ガスケット本体の屋内側の端部から斜め前方に突出して設けられる柔軟材料からなる支持部と、該支持部の先端から突出して外壁パネルの側面に互いに異なる方向に折れ曲がって密着する延出部及び奥行端部からなる固定部と、を備え、該固定部は、前記目地に圧入した時に前記延出部が当該外壁パネルに当接して前記ガスケット本体の側面方向に倒れ、前記奥行端部が前記外壁パネルの側面方向に回転することを特徴としている。
【０００８】
請求項２に記載の外壁目地ガスケットは、前記支持部は前記ガスケット本体の屋内側の端部の両側縁にそれぞれ設けられるとともに、前記固定部は、前記支持部にそれぞれ揺動可能に固定されることを特徴としている。
【０００９】
請求項３に記載の外壁目地ガスケットは、前記支持部は前記ガスケット本体の屋内側の端部の一方の側縁に設けられ、前記固定部は当該支持部に揺動自在に固定されるとともに、前記ガスケット本体の屋内側の端部の他方の側縁には、目地に圧入したときに弾性変形して水密よく外壁パネルの側面に密着するシール部をさらに備えることを特徴としている。
【００１０】
請求項４に記載の外壁目地のシール構造は、前記請求項１から請求項３のいずれかの外壁目地ガスケットを用いた外壁目地のシール構造であって、前記外壁パネルの側面には前記奥行端部の先端が当接して、前記外壁目地ガスケットが外壁目地の屋内側に圧入することを規制する突条が形成されたことを特徴としている。
【００１１】
請求項５に記載の外壁目地のシール構造は、前記請求項１から請求項３のいずれかの外壁目地ガスケットを用いた外壁目地のシール構造であって、前記外壁パネルの側面には前記奥行端部の先端が当接して、前記外壁目地ガスケットが外壁目地の屋内側に圧入することを規制する板部材が固定されたことを特徴としている。
【００１２】
請求項６に記載の外壁目地のシール構造は、前記請求項１から請求項３のいずれかの外壁目地ガスケットを用いた外壁目地のシール構造であって、前記外壁パネルの側面には前記奥行端部の先端が当接して、前記外壁目地ガスケットが外壁目地の屋内側に圧入することを規制する溝部が形成されたことを特徴としている。
【発明の効果】
【００１３】
請求項１に記載の外壁目地ガスケットによると、目地幅よりも細く形成されたガスケット本体の両側から広がって一対のシール部が形成されており、このシール部は目地に圧入したときに弾性変形して水密よく外壁パネルの側面に密着するので、外壁目地の水密性を確保する外壁目地ガスケットとして用いることができる。なお、ここでシール部は、少なくともガスケット本体の両側部に１対形成されることで外壁目地の水密性を確保するものであるが、例えば２対以上形成されたものでもよく、複数対形成すると、２重３重の防水を機能を発揮することができる。
【００１４】
そして、ガスケット本体の屋内側の端部から突出して設けられた支持部に延出部及び奥行端部からなる固定部が形成されており、目地に圧入した時に延出部が外壁パネルに当接してガスケット本体の側面方向に倒れ、奥行端部が外壁パネル方向に回転するので、この奥行端部の先端が目地を形成する外壁の側面に形成されている段差に当接して引っ掛かることで、外壁目地ガスケットはそれ以上外壁目地の屋内側に圧入されない。したがって、外壁目地ガスケットが外壁目地の屋内側に脱落することを防ぐことができる。
【００１５】
このように、請求項１に記載の外壁目地ガスケットは、水密性を確保するシール部と、外壁目地の屋内側に脱落することを防止する固定部とが、ともに形成されたものであるので、一回の工程で外壁目地ガスケットを目地に圧入することができ、施工が容易であるとともに、外壁目地をメンテナンスするような場合にも簡単に取り外し作業が容易である。
【００１６】
請求項２に記載の外壁目地ガスケットによると、ガスケット本体の屋内側の端部の両側縁にそれぞれ支持部が設けられ、これらの支持部にそれぞれ固定部が揺動自在に固定されているので、目地の両側の外壁側面にそれぞれ突条又は溝による段差が形成されている場合に、この外壁目地ガスケットを用いることで、より安定して外壁の屋内側に外壁目地ガスケットが脱落することを防ぐことができる。
【００１７】
請求項３に記載の外壁目地ガスケットによると、ガスケット本体の屋内側の端部の一方の側縁に支持部が設けられ、この支持部に固定部が揺動自在に固定されており、他方の側縁には目地に圧入したときに弾性変形して水密よく外壁パネルの側面に密着するシール部をさらに備えているので、目地の一方の外壁側面にのみ突条又は溝による段差が形成されている場合にも外壁目地ガスケットを用いることができ、外壁の屋内側に脱落することを防ぐことができる。
【００１８】
請求項４に記載の外壁目地のシール構造によると、外壁の側面に突条が設けられているので、請求項１から請求項３に記載の外壁目地ガスケットが屋内側に脱落することを防止できる外壁目地のシール構造とすることができ、外壁に突条を形成する際に適切な位置に突条を形成することで、目地に圧入される外壁目地ガスケットの位置を適切なものとすることができ、確実に防水することができる外壁目地のシール構造とすることができる。
【００１９】
請求項５に記載の外壁目地のシール構造によると、外壁の側面に板部材が固定されているので、請求項１から請求項３に記載の外壁目地ガスケットが屋内側に脱落することを防止できる外壁目地のシール構造とすることができ、外壁の側面に板部材を固定する際に適切な位置に板部材が固定されることで、目地に圧入される外壁目地ガスケットの位置を適切なものとすることができ、確実に防水することができる外壁目地のシール構造とすることができる。
【００２０】
請求項６に記載の外壁目地のシール構造によると、外壁の側面に溝部が設けられているので、請求項１から請求項３に記載の外壁目地ガスケットが屋内側に脱落することを防止できる外壁目地のシール構造とすることができ、外壁に溝部を形成する際に適切な位置に溝部を形成することで、目地に圧入される外壁目地ガスケットの位置を適切なものとすることができ、確実に防水することができる外壁目地のシール構造とすることができる。
【発明を実施するための最良の形態】
【００２１】
以下、この発明における外壁目地ガスケット１ａ及び外壁目地のシール構造２について、各図を参照しつつ説明する。外壁目地のシール構造２を構成する外壁目地ガスケット１ａは、住宅等の建物の外壁パネル３同士の間隙に圧入されて、屋外から外壁パネル３の屋内側に風雨が侵入することを防ぎ、且つ、建物外壁の外観の意匠性を向上させる目地材である。
【００２２】
外壁目地ガスケット１ａは、図１及び図２に示すように、外壁の縦目地及び水平目地のいずれにも圧入することができる例えばゴム又は樹脂で形成された目地材であって、これらの目地４に挿入できるように目地幅よりも細く形成された断面矩形の長尺なガスケット本体５と、このガスケット本体５の両側面に広がって形成されており、ガスケット本体５の両側面に襞状に形成されるシール部６と、ガスケット本体５の先端の両側縁に形成される支持部７と、この支持部７に屈曲位置が固定される断面略Ｖ字状の固定部８とを備えている。
【００２３】
シール部６は、例えばガスケット本体５の両側面にそれぞれ２つづつ形成されており、一方の側面に形成されたシール部６の先端から他方の側面に形成されたシール部６の先端までの長さは目地幅よりも長く、目地４に圧入するときにシール部６は弾性変形してその先端がそれぞれの外壁側面に水密的に当接するように形成されている。なお、このシール部６の数はこれに限定されるものではなく、少なくともガスケット本体５のそれぞれの側面に１以上形成されていればよい。また、このシール部６の形状は、上述のような襞状に限定されるものではなく、外壁パネル３の側面に水密的に当接できる形状であれば他の様々な形状を適用することができる。
【００２４】
支持部７はその弾性変形により固定部８を揺動自在に支持するものである。そして、固定部８は、外壁パネル３方向に延びる延出部９と目地４の奥行き方向に延びる奥行端部１０とを備えており、延出部９と奥行端部１０との屈曲位置で支持部に支持されている。なお、外壁目地ガスケット１ａを構成する各部は、同一の材質で全て一体成形されたものであってもよく、このように構成する場合製造工程を簡単にすることができ、また材料の調達コストを下げることができるが、例えば支持部７を他よりも軟質な弾性体で形成することで固定部８をより揺動しやすく形成することもでき、また、奥行端部１０を他よりも硬質な弾性体で形成することで目地４に圧入した際に確実に適切な奥行き位置で目地４に固定されるように構成してもよい。また、ガスケット本体５の内部に硬質の芯材を固定することで、外壁目地ガスケット１ａが不必要に歪むことをを防止する構成にしてもよい。
【００２５】
外壁目地のシール構造２を構成する外壁パネル３の側面には例えば突条１１が形成されている。この突条１１は、予め外壁パネル３を押出成型等により製造する際に設けられ、縦目地又は水平目地を構成する外壁パネル３の側面の全てに渡って形成されている。なお、このような突条１１は、外壁パネル３の側面に所定間隔毎に形成されたものであってもよい。すなわち、外壁目地ガスケット１ａの奥行端部を固定できる程度の間隔で設けられていれば、本発明の目的を達することができる。
【００２６】
外壁目地ガスケット１ａを目地４に圧入する際には、図３に示すように、屋外側から外壁目地ガスケット１ａを押し込む。このとき、まず、延出部９が目地４近傍の外壁パネル３の屋外面に当接し、そのまま外壁目地ガスケット１ａを押し込むと、支持部７が弾性変形して、延出部９がガスケット本体５の側面方向に倒れるとともに、奥行端部１０が外壁パネル３の側面方向に回転する。そして、さらに外壁目地ガスケット１ａを圧入すると、図４に示すように、シール部６も目地４に圧入されて外壁パネル３の側面に水密よく当接するとともに、奥行端部１０の先端が外壁パネル３の側面に形成された突条１１に当接する。
【００２７】
このようにして、突条１１に規制されて外壁目地ガスケット１ａはこれ以上屋内方向に圧入することができなくなるので、外壁目地ガスケット１ａが屋内側に脱落することを防止することができる。そして突条１１の目地４の奥行位置を適切に設計することで、外壁目地ガスケット１ａを目地４のシール材としての水密性や意匠性の観点から最も適切な位置に固定することができる。
【００２８】
外壁目地のシール構造２を構成する外壁パネル３の側面は、図５に示すように、突条１１に替えて溝部１２が形成されるものであってもよい。溝部１２も突条１１と同様に押出成型等により製造する際に縦目地又は水平目地を構成する外壁パネル３の側面の全てに渡って形成されてもよいし、所定間隔で形成される孔状であってもよい。また、所定間隔で形成される場合は、溝部１２は、例えば外壁パネル３の一方の側面から他方の側面にまで貫通して形成される貫通孔であってもよい。
【００２９】
このように外壁パネル３の側面に溝部１２が形成される場合も、突条１１が形成される場合と同様に、屋外側から外壁目地ガスケット１ａを目地４に圧入し、シール部６が外壁パネル３の側面に水密よく当接するとともに、奥行端部１０の先端が外壁パネル３の側面に形成された溝部１２の屋内側の段差に引っ掛かかることで、これ以上屋内方向に外壁目地ガスケット１ａを圧入することができなくすることができ、外壁目地ガスケット１ａが屋内側に脱落することを防止することができる。外壁パネル３の側面は、従来より溝や孔が形成されている場合が多く、このような外壁パネル３にも外壁目地ガスケット１ａを用いることができる。
【００３０】
また、外壁目地のシール構造２を構成する外壁パネル３の側面は、例えば押出成型等の製造工程において、突条１１又は溝部１２が形成されたものに限定されるものではなく、例えば、図６に示すように、外壁パネル３の側面に細い長尺の立方体に形成された板部材１３を固定したものであってもよい。例えば板部材１３は、螺子、釘、又は接着剤等の固定手段を用いて外壁パネル３の側面の全てに渡って、又は、所定間隔毎に固定されており、突条１１と同様に外壁目地ガスケット１ａを圧入した際に奥行端部１０の先端が板部材１３に当接することで、これ以上屋内方向に圧入することができなくなり、外壁目地ガスケット１ａが屋内側に脱落することを防止することができる。側面に突条１１や溝部１２が形成されていない外壁パネル３においても板部材１３を固定することで、外壁目地ガスケット１ａを用いることができる。そして、目地４の適切な奥行位置にこの板部材１３を固定することで外壁目地ガスケット１ａを目地４のシール材としての水密性や意匠性の観点から最も適切な位置に固定することができる。
【００３１】
なお、以上に説明した突条１１、溝部１２、板部材１３は、目地４を構成する外壁パネル３の側面の両側に一対形成されるものに限定されるものではなく、例えば、互いに向かい合う一方の外壁パネル３の側面に突条１１が形成され、他方の外壁パネル３の側面に溝部１２が形成されるものであってもよい。その他、対向する外壁パネル３の側面に突条１１、溝部１２、及び板部材１３のいずれの組合せが形成されるものであってもよい。
【００３２】
また、図７に示すように、突条１１を外壁パネル３の側面のより屋内寄りに設け、外壁目地ガスケット１ａを、目地４により深く圧入することで、目地４の屋外側に空間を設け、この空間に湿式のコーキング剤１４を注入してもよい。すなわち外壁目地ガスケット１ａを目地４のシール材とするだけでなく、コーキング剤１４の下地材とすることもできる。このように構成することで、適切な厚みでコーキング剤１４を注入することができ、コーキング剤１４が薄すぎて防水性が低下する不具合やコーキング剤１４が必要以上に厚すぎて、コーキング剤が硬化不良を起こすことや材料コストが増大する不具合を防ぐことができる。
【００３３】
次に、外壁目地ガスケット１の他の実施形態として、外壁目地ガスケット１ｂについて図８及び図９を参照しつつ説明する。なお、外壁目地ガスケット１ａと同様の構成については同一の符号を付して説明を省略する。外壁目地ガスケット１ｂは、ガスケット本体５の先端の一方の側縁に支持部７が形成され、この支持部７に断面略Ｖ字状の固定部８が固定されている。そして、ガスケット本体５の先端の他方の側縁には、目地に圧入したときに弾性変形して水密よく外壁パネルの側面に密着するシール部６ｂが形成されている。そして、外壁目地のシール構造２を構成する外壁パネル３の一方側の側面には、例えば溝部１２が形成されている。
【００３４】
外壁目地ガスケット１ｂを目地４に圧入する際には、図９に示すように屋外側から外壁目地ガスケット１ｂを押し込み、延出部９を目地４近傍の一方の外壁パネル３の屋外面に当接させる。そして、そのまま外壁目地ガスケット１ｂを目地４に押し込んで、支持部７を弾性変形させて、延出部９をガスケット本体５の側面方向に倒すとともに、奥行端部１０を外壁パネル３の側面方向に回転させる。そして、さらに外壁目地ガスケット１ｂを圧入して、シール部６、６ｂを外壁パネル３の側面に水密よく当接させるとともに、奥行端部１０の先端が外壁パネル３の側面に形成された溝部１２に引っ掛ける。
【００３５】
このように、ガスケット本体５の先端の一方の側縁にのみ支持部７及び固定部８が形成された外壁目地ガスケット１ｂを用いることで、目地４を構成する外壁パネル３の対向する側面の一方にのみ溝部１２、突条１１、又は板部材１３が形成されているような場合にも目地４の屋内側に脱落することなく、目地４の奥行方向の適切な位置に外壁目地ガスケット１ｂを固定することができる。
【００３６】
なお、本発明の実施の形態は上述の形態に限ることなく、本発明の思想の範囲を逸脱しない範囲で適宜変更することができることは云うまでもない。
【産業上の利用可能性】
【００３７】
本発明に係る外壁目地ガスケット１ａ、１ｂは、住宅等の建物の外壁パネル３同士の間隙の水密性を確保する外壁目地ガスケット１ａ、１ｂとして、好適に用いることができる。
【図面の簡単な説明】
【００３８】
【図１】外壁目地ガスケットの構成を示す一部省略斜視図。
【図２】外壁目地ガスケットの構成を示す断面図。
【図３】外壁目地ガスケットを目地に圧入する状態を説明する図。
【図４】外壁目地ガスケットを目地に圧入した状態を説明する図。
【図５】目地を構成する外壁パネルの側面に溝部が形成された外壁目地のシール構造を示す図。
【図６】目地を構成する外壁パネルの側面に板部材が固定された外壁目地のシール構造を示す図。
【図７】外壁目地のシール構造にさらにコーキング剤を注入した状態を示す図。
【図８】他の実施形態の外壁目地ガスケットを示す断面図。
【図９】他の実施形態の外壁目地ガスケットを外壁目地に圧入した状態を説明する図。
【図１０】従来の目地ガスケットジョイナーを使用する状態を説明する断面図。
【符号の説明】
【００３９】
１ａ、１ｂ  外壁目地ガスケット
２      外壁目地のシール構造
３      外壁パネル
４      目地
５      ガスケット本体
６      シール部
７      支持部
８      固定部
９      延出部
１０    奥行端部
１１    突条
１２    溝部
１３    板部材
【図１】
2010095897.tif 000003
【図２】
2010095897.tif 000004
【図３】
2010095897.tif 000005
【図４】
2010095897.tif 000006
【図５】
2010095897.tif 000007
【図６】
2010095897.tif 000008
【図７】
2010095897.tif 000009
【図８】
2010095897.tif 000010
【図９】
2010095897.tif 000011
【図１０】
2010095897.tif 000012